(57)【要約】【課題】  放送情報の受信中においてもユーザ個人情報の入力を可能にする。【解決手段】  外部装置２は、放送されている放送情報内に含まれるコンテンツの関連情報を提供している。送信手段１ａは、外部装置２に対してユーザ登録を要求するためにユーザ個人情報を送信する。記憶手段１ｂは、ユーザ個人情報を記憶媒体１ｃに記憶する。要求情報送信手段１ｄは、コンテンツの関連情報を要求する要求情報を記憶媒体１ｃ内のユーザ個人情報と共に外部装置２に送信する。受信手段１ｅは、要求情報、ユーザ個人情報を送信したことにより、受信中の放送情報内のコンテンツの関連情報を外部装置２から受信する。表示手段１ｆは、受信手段１ｅが受信したコンテンツの関連情報を表示装置に表示する。制御手段１ｇは、記憶媒体１ｃに記憶されているユーザ個人情報のうちの少なくとも一部が消去されているとき消去された情報の入力方法を表示するように表示手段１ｆを制御する。【選択図】  図１
2005107821.tif 000002
【特許請求の範囲】
【請求項１】
放送の受信中にコンテンツの関連情報を受信する通信装置において、
受信中の放送情報内に含まれるコンテンツの関連情報を提供する外部装置に対してユーザ登録を要求するためにユーザ個人情報を送信する送信手段と、
前記ユーザ個人情報を記憶媒体に記憶する記憶手段と、
前記コンテンツの関連情報を要求する要求情報を前記記憶媒体内のユーザ個人情報と共に送信する要求情報送信手段と、
前記要求情報に応じて、前記受信中の放送情報内のコンテンツの関連情報を前記外部装置から受信する受信手段と、
前記受信手段により受信された前記関連情報を表示する表示手段と、
前記記憶媒体に記憶されている前記ユーザ個人情報のうちの少なくとも一部が消去されているとき、消去された情報の入力方法を表示するように前記表示手段を制御する制御手段と、
を有することを特徴とする通信装置。
【請求項２】
前記表示手段は、前記ユーザ個人情報を入力するための入力部と入力方法とを表示したダイアログを表示することを特徴とする請求項１記載の通信装置。
【請求項３】
前記表示手段は、前記ユーザ個人情報を入力するための画面に遷移するための操作部を表示することを特徴とする請求項１記載の通信装置。
【請求項４】
放送の受信中にコンテンツの関連情報を受信する通信装置の通信方法において、
受信中の放送情報内に含まれるコンテンツの関連情報を提供する外部装置に対してユーザ登録を要求するためにユーザ個人情報を送信し、
前記ユーザ個人情報を記憶媒体に記憶し、
前記コンテンツの関連情報を要求する要求情報を前記記憶媒体内のユーザ個人情報と共に送信し、
前記要求情報に応じて、前記受信中の放送情報内のコンテンツの関連情報を前記外部装置から受信し、
受信した前記関連情報を表示装置に表示し、
前記記憶媒体に記憶されている前記ユーザ個人情報のうちの少なくとも一部が消去されているとき、消去された情報の入力方法を前記表示装置に表示する、
ことを特徴とする通信装置の通信方法。
【請求項５】
放送の受信中にコンテンツの関連情報を受信する通信装置の通信プログラムにおいて、
コンピュータに、
受信中の放送情報内に含まれるコンテンツの関連情報を提供する外部装置に対してユーザ登録を要求するためにユーザ個人情報を送信し、
前記ユーザ個人情報を記憶媒体に記憶し、
前記コンテンツの関連情報を要求する要求情報を前記記憶媒体内のユーザ個人情報と共に送信し、
前記要求情報に応じて、前記受信中の放送情報内のコンテンツの関連情報を前記外部装置から受信し、
受信した前記関連情報を表示装置に表示し、
前記記憶媒体に記憶されている前記ユーザ個人情報のうちの少なくとも一部が消去されているとき、消去された情報の入力方法を前記表示装置に表示する、
処理を実行させることを特徴とする通信装置の通信プログラム。
【発明の詳細な説明】
【技術分野】
【０００１】
本発明は通信装置、通信装置の通信方法、および通信装置の通信プログラムに関し、特にコンテンツの関連情報を受信する通信装置、通信装置の通信方法、および通信装置の通信プログラムに関する。
【背景技術】
【０００２】
現在、ラジオ放送局は、インターネット上で各局固有の情報を視聴者に対して提供している。具体的には、現在番組で放送している楽曲の名称や演奏者名、楽曲が録音されているＣＤ（Compact Disc）の名称や番号など楽曲の関連情報（ＮｏｗＯｎＡｉｒ：ナウオンエアー）をインターネット上で提供している。
【０００３】
このナウオンエアーを、表示装置を具備したＣＥ（Consumer Electronics）機器（例えば、オーディオ機器）にネットワークを介して送信し、表示するサービスがある。視聴者は、このサービスを提供するプロバイダ（サーバ）にアクセスしてナウオンエアーをＣＥ機器に受信する。
【０００４】
ＣＥ機器は、ラジオを視聴するファンクション、ＣＤを聴くファンクション、プロバイダからサービスを受信するファンクションと幾つかのファンクションを有する。ＣＥ機器の表示装置には、ファンクションに応じた画面が表示される。プロバイダにアクセスするには、例えば、リモートコントローラのキーでプロバイダのサービスを受けるファンクションに遷移し、表示装置に表示されるカーソルを、ユーザ個人情報を入力するためのテキストボックスに移動し入力する。なお、ユーザ個人情報は、１度入力されると記憶装置に記憶される。よって、プロバイダにアクセスする際、記憶装置からユーザ個人情報が消去されてない限り、ユーザは、サーバへアクセスする度にユーザ個人情報を入力する必要がないようになっている。
【０００５】
なお、電子機器のユーザごとの使用範囲を設定できる、ネットワーク上に接続された電子機器を制御する情報処理装置として、電子機器からネットワークを介して供給される、電子機器に関する機器属性情報を取得する機器属性情報取得手段と、機器属性情報取得手段により取得された機器属性情報に基づいて、電子機器に対してユーザ毎の使用範囲を設定し、記憶する使用範囲設定手段と、使用範囲設定手段により設定された使用範囲内で、ネットワークを介して電子機器を制御する制御手段とを備えたものがある（例えば、特許文献１参照）。
【特許文献１】特開２００１−３１２４７４号公報（第１２頁、第１図）
【発明の開示】
【発明が解決しようとする課題】
【０００６】
ところで、サーバへのアクセスに必要なユーザ個人情報が、例えば、電源が切断されたことにより記憶装置から一部消去された場合、消去されたユーザ個人情報を入力しなければアクセスすることができない。ＣＥ機器のキーは、操作に必要なキーのみが具備され、各ファンクションでのキーの役割は決まっているため、放送情報の受信中に、例えば、ナウオンエアーなどの放送情報内のコンテンツ関連情報を提供するサーバにアクセスする必要が生じた場合、アクセスに必要なユーザ個人情報を入力することができないという問題点があった。
【０００７】
本発明はこのような点に鑑みてなされたものであり、放送情報の受信中においてもユーザ個人情報の入力を可能にした通信装置、通信装置の通信方法、および通信装置の通信プログラムを提供することを目的とする。
【課題を解決するための手段】
【０００８】
本発明では上記問題を解決するために、放送の受信中にコンテンツの関連情報を受信する通信装置において、受信中の放送情報内に含まれるコンテンツの関連情報を提供する外部装置に対してユーザ登録を要求するためにユーザ個人情報を送信する送信手段と、前記ユーザ個人情報を記憶媒体に記憶する記憶手段と、前記コンテンツの関連情報を要求する要求情報を前記記憶媒体内のユーザ個人情報と共に送信する要求情報送信手段と、前記要求情報に応じて、前記受信中の放送情報内のコンテンツの関連情報を前記外部装置から受信する受信手段と、前記受信手段により受信された前記関連情報を表示する表示手段と、前記記憶媒体に記憶されている前記ユーザ個人情報のうちの少なくとも一部が消去されているとき、消去された情報の入力方法を表示するように前記表示手段を制御する制御手段と、を有することを特徴とする通信装置が提供される。
【０００９】
このような通信装置によれば、コンテンツの関連情報を提供する外部装置に対してユーザ登録を要求するために送信したユーザ個人情報を記憶装置に記憶する。放送の受信中に外部装置からコンテンツの関連情報を要求するとき、コンテンツの関連情報を受信するのに必要なユーザ個人情報が少なくとも一部記憶装置から消去されていると、消去されたユーザ個人情報の入力方法を表示する。
【発明の効果】
【００１０】
本発明の通信装置では、放送の受信中に外部装置からコンテンツの関連情報を要求するとき、コンテンツの関連情報を要求するのに必要なユーザ個人情報が、少なくとも一部消去されていると、消去されたユーザ個人情報の入力方法を表示するようにした。これにより、放送情報の受信中においてもユーザ個人情報の入力が可能となる。
【発明を実施するための最良の形態】
【００１１】
以下、本発明の実施の形態を図面を参照して詳細に説明する。
図１は、本発明の原理を説明する原理図である。図に示すように、通信装置１は、送信手段１ａ、記憶手段１ｂ、記憶媒体１ｃ、要求情報送信手段１ｄ、受信手段１ｅ、表示手段１ｆ、および制御手段１ｇを有している。通信装置１は、ネットワークを介して外部装置２と接続されている。外部装置２は、無線または有線の放送を行い、放送している放送情報内に含まれるコンテンツの関連情報をネットワーク上で提供している。なお、外部装置２は、無線または有線の放送をする装置と別々であってもよい。
【００１２】
通信装置１の送信手段１ａは、受信中の放送情報内に含まれるコンテンツの関連情報を提供する外部装置２に対してユーザ登録を要求するためにユーザ個人情報を送信する。
記憶手段１ｂは、外部装置２に送信したユーザ個人情報を記憶媒体１ｃに記憶する。
【００１３】
要求情報送信手段１ｄは、コンテンツの関連情報を要求する要求情報を記憶媒体１ｃ内のユーザ個人情報と共に外部装置２に送信する。
受信手段１ｅは、要求情報、ユーザ個人情報を送信したことにより、受信中の放送情報内の、コンテンツの関連情報を外部装置２から受信する。
【００１４】
表示手段１ｆは、受信手段１ｅが受信したコンテンツの関連情報を表示装置に表示する。
制御手段１ｇは、記憶媒体１ｃに記憶されているユーザ個人情報のうちの少なくとも一部が消去されているとき、消去された情報の入力方法を表示するように表示手段１ｆを制御する。
【００１５】
以下、原理図の動作について説明する。通信装置１は、ユーザからユーザ登録に必要な情報の入力を受け付ける。通信装置１の送信手段１ａは、受信中の放送情報内に含まれるコンテンツの関連情報を提供する外部装置２に対してユーザ登録を要求するためにユーザ個人情報を送信する。記憶手段１ｂは、外部装置２に送信したユーザ個人情報を記憶媒体１ｃに記憶する。すなわち、ユーザが外部装置２にユーザ登録をすると、通信装置１の記憶媒体１ｃにユーザ個人情報が記憶される。
【００１６】
要求情報送信手段１ｄは、放送の受信中においてコンテンツの関連情報を受信する場合、コンテンツの関連情報を要求する要求情報を記憶媒体１ｃのユーザ個人情報と共に外部装置２に送信する。
【００１７】
制御手段１ｇは、要求情報送信手段１ｄが要求情報とユーザ個人情報を外部装置２に送信するときに、記憶媒体１ｃに記憶されているユーザ個人情報のうちの少なくとも一部が消去されているとき、消去された情報の入力方法を表示するように表示手段１ｆを制御する。
【００１８】
このように、放送の受信中に外部装置２からコンテンツの関連情報を要求するとき、コンテンツの関連情報を要求するのに必要なユーザ個人情報が少なくとも一部消去されていると、消去されたユーザ個人情報の入力方法を表示するようにした。これにより、例えば、ユーザ個人情報を入力するためのキーの割り当てが放送の受信中における割り当てと異なる場合でも、表示された入力方法に従うことによって、一部消去されたユーザ個人情報を入力することができ、ユーザ個人情報の入力が可能となる。
【００１９】
次に、本発明の実施の形態を図面を参照して詳細に説明する。以下、楽曲または楽曲集合の情報を二次記憶装置に保存する処理を、クリップと呼ぶこととする。また、クリップによって保存された情報を、クリップ情報と呼ぶこととする。
【００２０】
図２は、本発明の実施の形態に係るネットワークシステムを示す図である。端末装置１０、総合サービスサーバ３５は、ネットワーク３０を介して各種サーバに接続されている。ネットワーク３０は、例えば、インターネットである。サーバとしては、ＣＤタイトル情報提供サーバ３１、放送局サーバ３２、音楽配信サーバ３３、ＣＤショップサーバ３４などである。
【００２１】
ＣＤタイトル情報提供サーバ３１は、市販されているＣＤの楽曲情報の配信サービスを行う。放送局サーバ３２は、ＦＭ放送やテレビ（ＴＶ）放送等の放送局が管理するサーバであり、放送される番組情報、ナウオンエアー、既に放送した楽曲の関連情報であるオンエアーリスト（ＯｎＡｉｒＬｉｓｔ）の提供サービスを行う。音楽配信サーバ３３は、楽曲のディジタルデータを配信するサービスを行うサーバである。ＣＤショップサーバ３４は、ＣＤの通信販売のための注文受け付け等を行うサーバであり、試聴用の音声データ等の配信サービスも行う。
【００２２】
これらの各サーバは、ネットワーク３０上の楽曲または楽曲集合に関する情報の提供サービスを行っている。すなわち、各サーバが、ネットワーク３０上の楽曲または楽曲集合のソースとして機能している。
【００２３】
なお、図２に示したサーバは、楽曲または楽曲集合のソースを、ネットワーク３０を介して提供する装置の一例である。すなわち、ネットワーク３０上で楽曲または楽曲集合のソースを他の装置からアクセスにしている装置であれば、ネットワーク３０上の楽曲または楽曲集合のソースとして機能することができる。
【００２４】
また、音楽配信サーバ３３とＣＤショップサーバ３４は、楽曲購入可能サーバであり、楽曲の音声データや楽曲集合の音声データをオンラインで販売する機能を備えている。ユーザが端末装置１０を操作して楽曲購入可能サーバにアクセスすれば、ネットワーク３０を介して実際に楽曲や楽曲集合を購入できる。端末装置１０のユーザは、音楽配信サーバ３３に対して購入手続きを行うことで、音楽配信サーバ３３から音声データをダウンロードできる。また、端末装置１０のユーザは、ＣＤショップサーバ３４に対して購入手続きを行うことで、自宅にＣＤを宅配してもらうことが可能となる。
【００２５】
端末装置１０は、ＣＤ２９ａ、ＭＤ（Mini Disc）２９ｂ、ハードディスクドライブ（ＨＤＤ）２１等の記録媒体に、ローカル上の楽曲または楽曲集合のソースを保持している。これらのソースは端末装置１０の種類、目的により異なる。
【００２６】
総合サービスサーバ３５は、各種サーバが提供しているサービスを統合し、端末装置１０に配信する。端末装置１０のユーザは、総合サービスサーバ３５を管理するプロバイダと契約すると、総合サービスサーバ３５から各種サーバのコンテンツ配信を受けることができる。例えば、ユーザは、放送局サーバ３２が放送する放送情報内に含まれる楽曲のナウオンエアーを受けることができる。
【００２７】
なお、図２に示したローカル上の楽曲または楽曲集合のソースは一例である。すなわち、端末装置１０のローカルに存在する記録媒体であれば、楽曲または楽曲集合を記録することで、ローカル上の楽曲または楽曲集合のソースとして機能させることができる。
【００２８】
また、端末装置１０は、クリップしたクリップ情報を記憶するクリップ情報記憶装置２１ａを備えている。クリップ情報記憶装置２１ａは、端末装置１０の二次記憶装置である。例えば、ＨＤＤ２１等の記憶領域の一部を、クリップ情報記憶装置２１ａとして機能させることができる。
【００２９】
ところで、本実施の形態における端末装置１０は、楽曲の再生機能を有するオーディオ機器としての機能を兼ね備えている。
図３は、端末装置の外観を示す図である。図３に示すように、本実施の形態に係る端末装置１０は、一般的なシステムコンポと同様の外観をしている。端末装置１０は、装置本体１０ａ、スピーカ２５ａ，２５ｂ、およびリモートコントローラ４０で構成される。装置本体１０ａには、ＣＤの再生機能、ＭＤの録音再生機能、およびＦＭ放送やＴＶ放送の受信機能を備えている。装置本体１０ａで生成した音声信号がスピーカ２５ａ，２５ｂに送られることで、スピーカ２５ａ，２５ｂから音が出力される。
【００３０】
また、装置本体１０ａには、表示装置１７が設けられている。表示装置１７には、再生中の楽曲の楽曲情報や、クリップによって保存されたクリップ情報等が表示される。
リモートコントローラ４０は、装置本体１０ａを遠隔操作するための入力装置である。リモートコントローラ４０には複数の操作キーが設けられている。ユーザによって操作キーが押されると、赤外線等の無線の通信手段により、押された操作キーに応じた信号がリモートコントローラ４０から装置本体１０ａに送信される。
【００３１】
操作キーとしては、方向キー４１ａ〜４１ｄ，決定キー４２、ファンクション選択キー４３ａ〜４３ｃ、ツールキー４４、戻るキー４５等がある。
方向キー４１ａ〜４１ｄは、例えば、表示装置１７に表示されたカーソルや、フォーカスが当てられる場所を移動させるために使用される。４つの方向キー４１ａ〜４１ｄは、それぞれ上、下、左、右それぞれの方向に対応しており、押された方向キーに対応する方向にカーソル等が移動する。
【００３２】
決定キー４２は、例えば、表示装置１７に表示された内容を確定するために使用される。
ファンクション選択キー４３ａ〜４３ｃは、機能の選択に使用される。例えば、３つのファンクション選択キー４３ａ〜４３ｃは、それぞれラジオを視聴するファンクション、ＣＤを聴くファンクション、プロバイダにアクセスしてサービスを受けるファンクションに対応付けられている。そして、ファンクション選択キーが押されると、装置本体１０ａは、押されたファンクション選択キーに対応するファンクションの動作モードになる。
【００３３】
ツールキー４４は、表示装置１７上にツールメニューを表示させるためのボタンである。ツールメニュー内には、表示装置１７に表示されている内容に応じたコマンドが表示される。ユーザが方向キー４１ａ〜４１ｄを操作して任意のコマンドを選択し、さらに決定キー４２を押すことで、選択されたコマンドに応じた処理が装置本体１０ａ内で実行される。
【００３４】
戻るキー４５は、表示装置１７の表示内容を、直前の状態に戻すためのボタンである。
なお、リモートコントローラ４０には、図３に示したもの以外にも様々な操作キーを設けることができる。例えば、音量調節キー、ＣＤの再生キー、停止キーなどである。
【００３５】
次に、端末装置１０の内部構成を説明する。
図４は、端末装置のハードウェアブロック図である。図４に示すような端末装置１０により、楽曲等の様々なソースの管理、記録、再生が可能となる。
【００３６】
ＣＰＵ（Central Processing Unit）１１は、起動されたプログラムに基づいて端末装置１０の全体の制御、演算処理を行う。例えば、ネットワーク３０を介した通信動作、ユーザに対する入出力動作、メディアからのコンテンツ再生やクリップ、ＨＤＤ２１へのコンテンツ記憶やそのための管理、クリップ情報等に基づくネットワーク３０を介した情報検索などを行う。なお、本実施の形態の端末装置１０が対応して記録再生可能なコンテンツデータとしては、オーディオのコンテンツデータや動画のコンテンツデータである。ＣＰＵ１１は、バス１２を介して各回路部との間で制御信号やデータのやりとりを行う。
【００３７】
ＲＯＭ（Read Only Memory）１３は、ＣＰＵ１１が実行すべき動作プログラム、プログラムローダーや、各種演算係数、プログラムで用いるパラメータ等が記憶される。また、ＲＡＭ（Random Access Memory）２０には、ＣＰＵ１１が実行すべきプログラムが展開される。また、ＣＰＵ１１が各種処理を実行する際において必要となるデータ領域、タスク領域としても用いられる。
【００３８】
操作入力部１５は、端末装置１０の筐体に設けられた操作キーやジョグダイヤル、タッチパネルなどの各種操作子などを有する。なお、ＧＵＩ（Graphical User Interface）操作のためのキーボードやマウスが操作入力部１５として設けられてもよい。操作入力部１５で入力された情報は入力処理部１４において所定の処理が施され、ＣＰＵ１１に対して操作コマンドとして伝送される。ＣＰＵ１１は入力された操作コマンドに応答した機器としての動作が得られるように、所要の演算や制御を行う。
【００３９】
表示装置１７としては、例えば液晶ディスプレイなどの表示デバイスが接続され、各種情報表示が行われる。ＣＰＵ１１が各種動作状態や入力状態、通信状態に応じて表示情報を表示処理部１６に供給すると、表示処理部１６は供給された表示データに基づいて表示装置１７に表示動作を実行させる。例えば、表示装置１７には、サーバ等から配信された楽曲情報の内容や、クリップ情報の内容が表示される。また、ネットワーク３０を介した楽曲の検索が行われた場合、検索結果が表示装置１７に表示される。
【００４０】
メディアドライブ１９ａ，１９ｂは、可搬型の記録媒体に記録された楽曲等のコンテンツを記録、再生（記録媒体によって再生のみの場合もある）することができるドライブである。なお、メディアドライブ１９ａ，１９ｂそれぞれが記録、または再生可能な記録媒体の種類は、１種類とは限らない。すなわち、複数の種類の記録媒体に対して記録、再生を行うことも可能である。例えば、メディアドライブ１９ａがＣＤ、ＤＶＤ（Digital Versatile Disc）の再生を行い、メディアドライブ１９ｂがＭＤの記録再生を行う。
【００４１】
なお、楽曲等のコンテンツを記録する可搬型の記録媒体としては、ＣＤ、ＤＶＤ等の光学的な記録媒体に限定されるべきものではない。例えば、フラッシュメモリなどの半導体メモリにより構成された記録媒体にコンテンツを格納することもできる。その場合、フラッシュメモリのリーダライタがバス１２に接続される。
【００４２】
ユーザは、メディアドライブ１９ａ，１９ｂに、任意のコンテンツが記録された記録媒体（ＣＤ，ＤＶＤ，ＭＤなど）を挿入し、リモートコントローラ４０の所定の操作を行うことで、楽曲を鑑賞することができる。例えば、ユーザがリモートコントローラ４０を操作し、メディアドライブ１９ａによる再生指示を行うと、ＣＰＵ１１はメディアドライブ１９ａに対してコンテンツの再生を指示する。これに応じて、メディアドライブ１９ａは、装填されている記録媒体から、指定されたコンテンツにアクセスして読み出しを実行する。
【００４３】
このようにして読み出されたコンテンツが、オーディオコンテンツである場合には、必要に応じてＣＰＵ１１の処理によってデコード処理等が施された後、オーディオデータ処理部２４に転送される。オーディオデータ処理部２４においては、イコライジング等の音場処理や音量調整、Ｄ／Ａ変換、増幅等の処理が施され、スピーカ部２５から出力される。なお、スピーカ部２５は、図３に示したような複数のスピーカ２５ａ，２５ｂで構成され、ステレオで音声を出力することができる。
【００４４】
また、メディアドライブ１９ａ，１９ｂにて再生されたコンテンツは、ＣＰＵ１１の制御によって、ＨＤＤ２１にオーディオデータファイルとして蓄積することもできる。なお、このオーディオデータファイルの形式としては、ＣＤフォーマットにおけるサンプリング周波数４４．１ＫＨｚで１６ビット量子化のデジタルオーディオデータとしてもよい。ＨＤＤ２１の容量を節約するために、所定方式にしたがって圧縮処理が施された形式の圧縮オーディオデータとされてもよい。また、圧縮方式としても限定されるものではないが、ＡＴＲＡＣ（Advanced TRansform Acoustic Coding、商標）方式やＭＰ３（MPEG Audio Layer-3）方式などを採用することができる。
【００４５】
チューナ２７は、例えばＡＭ・ＦＭラジオチューナとされ、ＣＰＵ１１の制御に基づいてアンテナ２６で受信された放送信号を復調する。もちろんテレビチューナや衛星放送チューナ、デジタル放送チューナなどとしてのチューナでもよい。復調された放送音声信号は、オーディオデータ処理部２４において所要の処理が施され、スピーカ部２５から放送音声として出力される。
【００４６】
通信処理部２２は、ＣＰＵ１１の制御に基づいて送信データのエンコード処理、受信データのデコード処理を行う。ネットワークインタフェース２３は、通信処理部２２でエンコードされた送信データを、ネットワークを介して所定の外部ネットワーク対応機器に送信する。また、ネットワークインタフェース２３は、ネットワークを介在して外部ネットワーク対応機器から送信されてきた信号を通信処理部２２に受け渡す。通信処理部２２は受信した情報をＣＰＵ１１に転送する。ネットワーク３０を介して受信する情報には、例えば、ＦＭ等で放送中の番組の楽曲情報や、ＣＤ等のタイトルに含まれる楽曲の情報がある。
【００４７】
赤外線通信部２８は、リモートコントローラ４０との間で、赤外線等の無線の通信手段で通信を行う。そして、赤外線通信部２８は、リモートコントローラ４０から送られた信号に所定の処理を施し、ＣＰＵ１１に対して操作コマンドとして伝送する。ＣＰＵ１１は入力された操作コマンドに応答した機器としての動作が得られるように、所要の演算や制御を行う。
【００４８】
なお、端末装置１０の構成は、この図４の構成に限られるものではなく、更に多様に考えられる。例えばＵＳＢ（Universal Serial Bus）、ＩＥＥＥ１３９４、Ｂｌｕｅｔｏｏｔｈなどの通信方式による周辺機器とのインタフェースが設けられるようにしてもよい。そして、上記ネットワークインタフェース２３によりネットワーク３０を介してダウンロードしたオーディオのコンテンツや、上記ＵＳＢ、ＩＥＥＥ１３９４などのインタフェースを経由して転送されてきたオーディオのコンテンツについても、ＨＤＤ２１に対して記憶させることができる。またマイクロホンや外部のヘッドホンの接続に用いられる端子や、ＤＶＤ再生時に対応するビデオ出力端子、ライン接続端子、光デジタル接続端子等が設けられてもよい。また、ＰＣＭＣＩＡスロット、メモリカードスロットなどが形成され、外部の情報処理装置やオーディオ機器とデータのやりとりが可能とされてもよい。
【００４９】
次に、本実施の形態のシステムにおけるプログラムモジュールの構成について説明する。なお、プログラムモジュールは端末装置１０に実行させる処理を記述した情報であり、プログラムモジュールに基づいて端末装置１０が所定の機能を実現することができる。以下の説明では、プログラムモジュールを実行することで実現される機能を、そのプログラムモジュールの名称で呼ぶこととする。
【００５０】
図５は、端末装置のプログラムモジュール構成を示す図である。図５に示すように端末装置１０のプログラムモジュールはＯＳ上で動作するように構成されている。端末装置１０は、各プログラムモジュールの機能によって、ＣＤタイトル情報提供サーバ３１、放送局サーバ３２、音楽配信サーバ３３、ＣＤの物販を行うＣＤショップサーバ３４、総合サービスサーバ３５、インターネットラジオサーバ３６、その他の各種サーバと通信を行うことができる。
【００５１】
ＨＴＴＰ(Hyper Text Transfer Protocol)メッセージプログラム１１１は、ＣＤタイトル情報提供サーバ３１、放送局サーバ３２、ＣＤショップサーバ３４、および総合サービスサーバ３５等の各種サーバとの間のやりとりをＨＴＴＰ通信で行うものである。コミュニケータプログラム１１２は、総合サービスサーバ３５等と各種通信を行う通信モジュールである。
【００５２】
コミュニケータプログラム１１２の上位（ユーザインタフェースに近い機能）には、コンテンツのコーデックを解釈して再生するコンテンツ再生モジュール１１３、著作権保護に関する情報を取り扱う著作権保護情報管理モジュール１１４が位置する。コンテンツ再生モジュール１１３の上位には、インターネットラジオの選局および再生を行うインターネットラジオ選局再生モジュール１１８が設けられている。著作権保護情報管理モジュール１１４の上位には、楽曲購入および試聴曲の再生を司る楽曲購入再生モジュール１１９が設けられている。
【００５３】
それらインターネットラジオ選局再生モジュール１１８、楽曲購入再生モジュール１１９の上位にはＸＭＬ(eXtensible Markup Language)ブラウザ１５１が設けられている。ＸＭＬブラウザ１５１は、各種サーバから送られるＸＭＬファイルの内容を解釈し、表示装置１７に対して画面表示を行う。また、端末装置１０が総合サービス利用モードのときにユーザが端末装置１０に対して行った入力内容はＸＭＬブラウザ１５１で解釈される。そして、ＸＭＬブラウザ１５１から他のモジュールへ、入力内容に応じた処理要求等が渡される。例えば、ＸＭＬブラウザ１５１を介してユーザに選択された楽曲は楽曲購入再生モジュール１１９で購入され、ハードディスクコンテンツコントローラ１１７を介してＨＤＤ２１に書き込まれる。
【００５４】
コミュニケータプログラム１１２には、ライブラリ１３０の認証ライブラリ１３１が接続されている。認証ライブラリ１３１は、総合サービスサーバ３５やその他の各種サーバの認証処理を行う。
【００５５】
さらにコミュニケータプログラム１１２の上位には、データベースアクセスモジュール１１５、コンテンツデータアクセスモジュール１１６およびハードディスクコンテンツコントローラ１１７が設けられている。データベースアクセスモジュール１１５は、ＨＤＤ２１に構築された各種データベースにアクセスする。コンテンツデータアクセスモジュール１１６はＨＤＤ２１に格納されたコンテンツにアクセスする。ハードディスクコンテンツコントローラ１１７はＨＤＤ２１に格納されたコンテンツを管理する。
【００５６】
ハードディスクコンテンツコントローラ１１７の上位には、関連情報表示モジュール１２０、チューナ選局再生／録音モジュール１２１、および楽曲購入再生モジュール１１９が設けられている。関連情報表示モジュール１２０は、ラジオ局が放送した楽曲のタイトルおよびアーティスト名を表示装置１７に表示する。チューナ選局再生／録音モジュール１２１は、ラジオ局を選局したり、当該ラジオ局から受信した楽曲のコンテンツをＨＤＤ２１に録音したりする。
【００５７】
例えば、オーディオユーザインタフェース（ＡｕｄｉｏＵＩ）１５２を介して選局されたラジオ局から受信した楽曲は、コンテンツデータアクセスモジュール１１６を介してＨＤＤ２１へ書き込まれる。
【００５８】
関連情報表示モジュール１２０は、チューナ選局再生／録音モジュール１２１によって現在ラジオ局が放送している楽曲のタイトルやアーティスト名を関連情報としてＣＤタイトル情報提供サーバ３１、放送局サーバ３２等からＨＴＴＰメッセージプログラム１１１経由で受信し、これをオーディオユーザインタフェース１５２を介して表示装置１７に表示する。
【００５９】
なお、オーディオユーザインタフェース１５２を介して表示装置１７に表示した関連情報は、ライブラリ１３０のクリップライブラリ１３２に一時的に記憶させることができる。また、関連情報は、ユーザからの指示に従って最終的にはデータベースアクセスモジュール１１５を介してＨＤＤ２１へ記憶させることもできる。
【００６０】
さらに端末装置１０のプログラムモジュールとしては、ＣＤを再生するためのＣＤ再生モジュール１４１と、ＨＤＤ２１を再生するためのＨＤＤ再生モジュール１４２とが含まれており、再生結果をオーディオデータ処理部２４およびスピーカ部２５を介して出力する。
【００６１】
このような構成の端末装置１０において、サーバから関連情報を取得し、その関連情報をクリップすることができる。なお、クリップと同時に、楽曲の検索や購入処理を行うこともできる。
【００６２】
次に、サービスを提供する総合サービスサーバ３５へのユーザ登録について説明する。ユーザは、各種サーバのサービスを受けるためには、総合サービスサーバ３５に対しユーザ登録をしなければならない。端末装置１０のＣＰＵ１１は、ユーザ登録に必要な情報をユーザから受け付け、ユーザ登録を要求する旨の要求信号と共に総合サービスサーバ３５に送信する。これによってユーザは、ユーザＩＤ、パスワードを取得する。
【００６３】
このとき、ユーザは、端末装置１０に端末ＩＤを入力しなければならい。端末ＩＤは、ユーザが複数の端末装置を所有している場合に、各端末装置を識別するための識別子で、ユーザによって任意に入力される。端末ＩＤは、ＣＰＵ１１によって総合サービスサーバ３５に送信され登録されると共にＲＯＭ１３またはＨＤＤ２１に記憶される。総合サービスサーバ３５は、端末ＩＤによってユーザが使用している端末装置を識別し情報を送受信する。
【００６４】
端末装置１０から総合サービスサーバ３５へのユーザ登録の処理の流れを、シーケンス図を用いて説明する。
図６は、ユーザ登録の処理の流れを示したシーケンス図である。
【００６５】
ステップＳ１において、端末装置１０のＣＰＵ１１は、ユーザの操作によって入力されたユーザＩＤおよびパスワードを登録するために、当該ユーザＩＤおよびパスワードを登録情報の一部として総合サービスサーバ３５に送信する。なお、端末装置１０と総合サービスサーバ３５との通信には、全てＳＳＬ（Secure Socket Layer）を使用しており、これによって第３者への情報の漏洩を防止するようになされている。
【００６６】
ステップＳ１１において、総合サービスサーバ３５のＣＰＵは、登録情報の一部としてのユーザＩＤおよびパスワードを受信する。
ステップＳ１２において、総合サービスサーバ３５のＣＰＵは、受信したユーザＩＤおよびパスワードを、これら情報が管理された管理テーブルと比較し、重複するユーザＩＤが存在しないことを確認して当該ユーザＩＤを登録し、その登録が完了したことをユーザ登録完了情報として端末装置１０に送信する。なお、ユーザＩＤの重複があった場合、総合サービスサーバ３５のＣＰＵは、他のユーザＩＤの入力を促すメッセージを端末装置１０に送信し、ユーザに入力させた他のユーザＩＤおよびパスワードを端末装置１０から送信させる。
【００６７】
ステップＳ２において、端末装置１０のＣＰＵ１１は、受信したユーザ登録完了情報に応じてユーザＩＤの登録が完了したことを表示装置１７に表示する。
ステップＳ３において、ＣＰＵ１１は、ユーザによる所定の登録操作に基づいて端末ＩＤおよび公開設定を端末装置１０のＨＤＤ２１に記憶する。なお、公開設定とは、他のユーザに対して当該端末装置１０の存在を公開するか否かの設定をすることをいう。
【００６８】
ステップＳ４において、ＣＰＵ１１は、端末ＩＤおよび公開設定を登録情報の残りとして総合サービスサーバ３５に送信する。
ステップＳ１３において、総合サービスサーバ３５のＣＰＵは、端末装置１０から送信された登録情報の残りとしての端末ＩＤおよび公開設定を受信する。
【００６９】
ステップＳ１４において、総合サービスサーバ３５のＣＰＵは、ユーザＩＤと関連付けて端末ＩＤおよび公開設定を管理テーブルに登録する。
ステップＳ１５において、総合サービスサーバ３５のＣＰＵは、端末ＩＤおよび公開設定の登録が完了したことを表す登録完了情報を端末装置１０に送信し、総合サービスサーバ３５側のユーザ登録における処理を終了する。
【００７０】
ステップＳ５において、端末装置１０のＣＰＵ１１は、総合サービスサーバ３５から登録完了情報を受信する。
ステップＳ６において、ＣＰＵ１１は、ユーザ登録が完了したことを表示装置１７に表示してユーザに通知し、処理を終了する。
【００７１】
ところで、端末装置１０は、ユーザ登録をしたユーザ１人にしか利用できない。登録したユーザが端末装置１０を使用することを宣言するために、サーバにアクセスするときは、ユーザＩＤ、パスワード、および端末装置１０の端末ＩＤをサーバに送信する必要がある。
【００７２】
１度入力したユーザＩＤ、パスワードは、ＣＰＵ１１によってＲＡＭ２０に記憶される。よって、サーバに再度アクセスする必要が生じた場合、例えば、電源が切られた場合など、消去されない限りＲＡＭ２０に記憶されたユーザＩＤ、パスワードが再利用され、ユーザの入力する手間が省かれる。なお、端末ＩＤは、ＲＯＭ１３またはＨＤＤ２１に記憶されるので消去されることはない。
【００７３】
例えば、ユーザがナウオンエアーのサービスを受けようと、総合サービスサーバ３５にユーザ登録するとする。ＣＰＵ１１は、ユーザからユーザ登録に必要なユーザＩＤ、パスワード、および端末ＩＤを受け付け、総合サービスサーバ３５に送信する。このとき、ＣＰＵ１１は、受け付けた端末ＩＤをＲＯＭ１３またはＨＤＤ２１に記憶する。また、受け付けたユーザＩＤ、パスワードをＲＡＭ２０に記憶する。
【００７４】
なお、ユーザ（端末装置１０）は、総合サービスサーバ３５によってユーザ認証されるとチケットが発行される。これによって、端末装置１０は、総合サービスサーバ３５が統合する各種サーバにアクセスすることができる。各種サーバは、例えば、チケットに含まれる認証完了時刻などを参照することにより、端末装置１０のユーザが正規ユーザとして最近（例えば、過去１分以内）認証されたか否かを判断し、認証されていると判断した場合は、端末装置１０からの要求に応じたサービスを行う。
【００７５】
以下では、ユーザは、総合サービスサーバ３５にユーザ登録をしているとする。また、端末装置１０は、放送局サーバ３２を管理するラジオ放送局からＦＭ放送を受信しているとする。放送局サーバ３２は、ラジオ放送局が放送している番組のナウオンエアーを配信している。
【００７６】
ＦＭ放送は、アンテナ２６によって受信され、チューナ２７によって復調される。復調された信号は、オーディオデータ処理部２４に送られ、スピーカ２５ａ，２５ｂに出力される。
【００７７】
ＣＰＵ１１は、表示装置１７にＦＭ放送の受信に応じた画面を表示する。ここで、ＦＭ放送のナウオンエアーを受信するには、ＣＰＵ１１は情報を要求する旨の要求信号と、ＲＡＭ２０に記憶されているユーザＩＤ、パスワード、およびＲＯＭ１３またはＨＤＤ２１に記憶されている端末ＩＤを総合サービスサーバ３５に送信する必要がある。
【００７８】
このとき、ＲＡＭ２０からユーザＩＤ、パスワードの一部が消去されていると、ユーザは、ユーザＩＤ、パスワードを入力しなければならない。しかし、リモートコントローラ４０の操作キーは、ＦＭ放送の受信に応じた画面の操作に割り当てられており、ユーザＩＤ、パスワードを入力することができない。そこで、ＣＰＵ１１は、表示装置１７の一部にユーザＩＤ、パスワードを入力するための入力方法を表示する。
【００７９】
ＣＰＵ１１は、ユーザが表示装置１７に表示された入力方法に従って入力したユーザＩＤ、パスワードをリモートコントローラ４０より受け付ける。ＣＰＵ１１は、受け付けたユーザＩＤ、パスワードを、ナウオンエアーを要求する要求信号、端末ＩＤと共に総合サービスサーバ３５に送信する。
【００８０】
総合サービスサーバ３５は、端末装置１０から送信されたユーザＩＤ、パスワード、端末ＩＤの認証を行い、放送局サーバ３２にアクセスすることができるためのチケットを端末装置１０に発行する。端末装置１０のＣＰＵ１１はチケットを受信し、受信したチケットに基づいて、放送局サーバ３２にアクセスする。ＣＰＵ１１は、放送局サーバ３２からナウオンエアーを受信して、表示装置１７に表示する。
【００８１】
このように、ナウオンエアーを受信するのに必要なユーザ個人情報の一部が消去されているとき、消去されたユーザ個人情報の入力方法を表示することによって、ユーザは、放送情報の受信中においてもユーザ個人情報の入力をすることができる。
【００８２】
次に、表示装置１７に表示される画面の図を用いながらＦＭのＷｅｂ放送の受信について説明する。
端末装置１０は、ラジオを視聴するファンクション、ＣＤを聴くファンクション、プロバイダのサービスを受けるファンクションと幾つかのファンクションを有する。ユーザは、リモートコントローラ４０のファンクション選択キー４３ａ〜４３ｃを押下することにより、所望のファンクションを選択する。例えば、ＦＭのＷｅｂ放送を受信したいならば、リモートコントローラ４０の対応するファンクション選択キー４３ａ〜４３ｃを押下し、ラジオ（ＦＭのＷｅｂ放送）を視聴するファンクションに遷移する。表示装置１７には、選択されたファンクションに応じた画面が表示される。
【００８３】
図７は、ＦＭのＷｅｂ放送のページを表示した表示装置の画面である。図に示すように、画面５０は、左右中央を境に領域５０ａ，５０ｂに分かれている。領域５０ａは、現在受信しているＦＭのＷｅｂ放送の情報サービスが表示される領域である。領域５０ｂは、総合サービスサーバ３５にログインしなければ表示されない追加サービス（Ｗｅｂ放送のナウオンエアー）が表示される領域である。画面５０は、ＧＵＩとなっており、リモートコントローラ４０を使用して画面に表示されるアイコン、文字などの上にカーソルを移動し選択することにより操作する。
【００８４】
領域５０ｂにナウオンエアーを表示するには、ユーザＩＤより総合サービスサーバ３５にログインしなければならないが、ＲＡＭ２０に記憶されているユーザＩＤ、パスワードの一部が消去されている場合は、ログインができないのでこれらを入力する必要がある。しかし、リモートコントローラ４０の操作キーは、画面５０上での操作、すなわち、ラジオ（ＦＭのＷｅｂ放送）を視聴するファンクションでの操作に割り当てられており、ユーザＩＤを入力するための入力画面を領域５０ｂに表示しても、領域５０ａから領域５０ｂへカーソルを移動することは、リモートコントローラ４０の基本操作に反するため、プロバイダにアクセスしてサービスを受けるファンクションへ遷移しない限りできない。
【００８５】
そこで、ＣＰＵ１１は、領域５０ｂにユーザＩＤを入力する方法を表示する。領域５０ｂには、リモートコントローラ４０のツールキー４４を押下するとユーザＩＤ入力画面に遷移することが示されている。なお、入力方法は機器により様々であるため、入力方法の表示はその方法が示されていればどのように記述されていてもよい。
【００８６】
リモートコントローラ４０のツールキー４４が押下されると、ＣＰＵ１１は、表示装置１７にポップアップメニューを表示する。図８は、ポップアップメニューが表示されている表示装置の画面である。図に示すように、画面５１には、ポップアップメニュー５１ａが表示されている。ポップアップメニュー５１ａは、ユーザが図７の領域５０ｂに表示されている入力方法に従い、リモートコントローラ４０のツールキー４４を押下することにより表示される。ポップアップメニュー５１ａには、文字検索、ユーザＩＤ入力、楽曲検索が表示されている。
【００８７】
リモートコントローラ４０の方向キー４１ａ〜４１ｄでカーソルを文字検索に合わせ、決定キー４２を押下すると、文字検索画面が表示される。リモートコントローラ４０の方向キー４１ａ〜４１ｄでカーソルをユーザＩＤ入力に合わせ、決定キー４２を押下すると、ユーザＩＤ入力画面が表示される。リモートコントローラ４０の方向キー４１ａ〜４１ｄでカーソルを楽曲検索に合わせ、決定キー４２を押下すると、楽曲検索画面が表示される。
【００８８】
図９は、表示装置のユーザＩＤ入力画面である。画面５２には、ユーザＩＤを入力するためのテキストボックス５２ａが表示されている。画面５２は、図８に示した画面５１のポップアップメニュー５１ａのユーザＩＤ入力を選択することにより表示される。リモートコントローラ４０を用いてテキストボックス５２ａにユーザＩＤを入力し、決定キー４２を押下するとユーザＩＤが総合サービスサーバ３５へ送信される。ユーザＩＤの入力後、同様にして、パスワードを入力するテキストボックスが表示される。
【００８９】
ユーザＩＤ、パスワードが入力されると、総合サービスサーバ３５で認証処理が行われる。認証されると放送局サーバ３２にアクセスすることができるチケットが発行される。端末装置１０は、チケットに基づいて放送局サーバ３２にアクセスし、ナウオンエアーを受信する。
【００９０】
図１０は、ナウオンエアーが表示された表示装置の画面である。画面５３は、左右中央を境に領域５３ａ，５３ｂに分かれている。領域５３ａには、現在総合サービスサーバ３５から受けているＦＭ放送番組情報が表示されている。領域５３ｂには、追加サービスであるナウオンエアーが表示されている。
【００９１】
次に、追加サービスであるナウオンエアーを表示する処理の流れをフローチャートを用いて説明する。図１１は、追加サービスを表示する処理の流れを示したフローチャートである。
【００９２】
ステップＳ２１において、ＣＰＵ１１は、ラジオ（ＦＭのＷｅｂ放送）を視聴するファンクションが選択されると、ＦＭのＷｅｂ放送を受信すると共に、放送の番組情報を表示装置１７に表示する。
【００９３】
ステップＳ２２において、ＣＰＵ１１は、ＲＡＭ２０にユーザＩＤ、パスワードが全て記憶されているか否かを判断する。全て記憶されていればステップＳ２５へ進む。全て記憶されていなければステップＳ２３へ進む。
【００９４】
ステップＳ２３において、ＣＰＵ１１は、表示装置１７の画面にユーザＩＤ、パスワードの入力方法を表示する。
ステップＳ２４において、ＣＰＵ１１は、表示装置１７に表示した入力方法に従って入力されるユーザＩＤ、パスワードを受け付ける。
【００９５】
ステップＳ２５において、ＣＰＵ１１は、ユーザＩＤ、パスワードを、追加サービスを提供する総合サービスサーバ３５に送信し、要求するサービスを提供するサーバにアクセスすることができるチケットを発行してもらう。そして、ＣＰＵ１１は、追加サービスを受信し、受信した追加サービスを表示装置１７に表示する。
【００９６】
このように、放送受信中に総合サービスサーバ３５からナウオンエアーを受信するとき、ナウオンエアーを受信するのに必要なユーザ個人情報の一部が消去されていると、消去されたユーザ個人情報の入力方法を表示するようにした。これにより、キー操作がその画面における割り当てと異なる場合でも、表示された入力方法に従えばユーザ個人情報を入力することができ、放送情報の受信中においてもユーザ個人情報の入力が可能となる。
【００９７】
上記では、図７に示したように追加サービスが表示される領域５０ｂにユーザＩＤを入力する方法を表示するようにしたが、ユーザＩＤを入力するテキストボックスを有したダイアログを領域５０ｂに表示するようにしてもよい。このとき、ダイアログには、テキストボックスにユーザＩＤを入力できる旨を表示するようにしておく。
【００９８】
なお、コンピュータが有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記録装置、光ディスク、光磁気記録媒体、半導体メモリなどがある。磁気記録装置には、ハードディスク装置（ＨＤＤ）、フレキシブルディスク（ＦＤ）、磁気テープなどがある。光ディスクには、ＤＶＤ、ＤＶＤ−ＲＡＭ、ＣＤ−ＲＯＭ、ＣＤ−Ｒ（Recordable）／ＲＷ（ReWritable）などがある。光磁気記録媒体には、ＭＯ（Magneto-Optical disk）などがある。
【００９９】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送される毎に、逐次、受け取ったプログラムに従った処理を実行することもできる。
【図面の簡単な説明】
【０１００】
【図１】本発明の原理を説明する原理図である。
【図２】本発明の実施の形態に係るネットワークシステムを示す図である。
【図３】端末装置とリモコンの外観図である。
【図４】端末装置のハードウェアブロック図である。
【図５】端末装置のプログラムモジュール構成を示す図である。
【図６】ユーザ登録の処理の流れを示したシーケンス図である。
【図７】ＦＭのＷｅｂ放送のページを表示した表示装置の画面である。
【図８】ポップアップメニューが表示されている表示装置の画面である。
【図９】表示装置のユーザＩＤ入力画面である。
【図１０】ナウオンエアーが表示された表示装置の画面である。
【図１１】追加サービスを表示する処理の流れを示したフローチャートである。
【符号の説明】
【０１０１】
１……通信装置、１ａ……送信手段、１ｂ……記憶手段、１ｃ……記憶媒体、１ｄ……要求情報送信手段、１ｅ……受信手段、１ｆ……表示手段、１ｇ……制御手段、２……外部装置、１１……ＣＰＵ、１２……バス、１３……ＲＯＭ、１４……入力処理部、１５……操作入力部、１６……表示処理部、１７……表示装置、１９ａ，１９ｂ……メディアドライブ、２０……ＲＡＭ、２１……ＨＤＤ、２２……通信処理部、２３……ネットワークインタフェース、２４……オーディオデータ処理部、２５……スピーカ部、２８……赤外線通信部、３０……ネットワーク、３１……ＣＤタイトル情報提供サーバ、３２……放送局サーバ、３３……音楽配信サーバ、３４……ＣＤショップサーバ、３５……総合サービスサーバ、４０……リモートコントローラ、４１ａ〜４１ｄ……方向キー、４２……決定キー、４３ａ〜４３ｃ……ファンクション選択キー、４４……ツールキー、４５……戻るキー。
【図１】
2005107821.tif 000003
【図２】
2005107821.tif 000004
【図３】
2005107821.tif 000005
【図４】
2005107821.tif 000006
【図５】
2005107821.tif 000007
【図６】
2005107821.tif 000008
【図７】
2005107821.tif 000009
【図８】
2005107821.tif 000010
【図９】
2005107821.tif 000011
【図１０】
2005107821.tif 000012
【図１１】
2005107821.tif 000013